(57)【要約】【課題】  画像による情報の出所に基づいて、情報の漏洩を抑止する。【解決手段】  受信画像形成部２０２は、画像データを取得して、送信画像４を受信画像として形成する。認識・抽出部２０４は、送信画像４に含まれるＦＡＸ番号画像４０を抽出し、ＦＡＸ番号画像４０が示すＦＡＸ番号と送信画像４とを出力する。照合部２０６は、送信元番号通知信号、ＦＡＸ番号及び送信画像４を受入れ、受入れた送信元番号通知信号が示す送信元番号とＦＡＸ番号とを照合し、ＦＡＸ番号と送信元番号とが一致しない場合には送信画像４を消去部２０７に対して出力し、ＦＡＸ番号と送信元番号とが一致する場合には送信画像４を出力画像設定部２０８に対して出力する。消去部２０７は、送信画像４を消去する。出力画像設定部２０８は、送信画像４を出力画像として設定し出力する。【選択図】          図４
2006261752.tif 000002
【特許請求の範囲】
【請求項１】
出所に関連する画像データを含む画像データ及び該画像データの出所を識別する識別データを取得するデータ取得手段と、このデータ取得手段が取得した画像データから出所に関連する画像データを抽出する抽出手段と、この抽出手段が抽出した出所に関連する画像データと前記データ取得手段が取得した識別データとを照合する照合手段と、画像データに応じて画像を出力する画像出力手段と、前記照合手段が照合した結果に応じて前記画像出力手段による画像の出力を制御する出力制御手段とを有することを特徴とする画像処理装置。
【請求項２】
前記抽出手段は、前記データ取得手段が取得した画像データに対し、所定の個数連続する数字列からなる画像に対応する画像データを出所に関連する画像データの候補とすることを特徴とする請求項１記載の画像処理装置。
【請求項３】
前記照合手段が照合した結果、前記抽出手段が抽出した出所に関連する画像データと前記データ取得手段が取得した識別データとが合致しない場合、前記出力制御手段は、その旨を示す画像を前記画像出力手段が出力するよう制御することを特徴とする請求項１又は２記載の画像処理装置。
【請求項４】
前記データ取得手段が取得した識別データから画像データの出所を識別する識別手段をさらに有し、前記データ取得手段が取得した識別データを前記識別手段が識別した結果、画像データの出所が所定の属性の装置である場合、前記出力制御手段は、その旨を示す画像を前記画像出力手段が出力するよう制御することを特徴とする請求項１乃至３いずれか記載の画像処理装置。
【請求項５】
出所に関連する画像データを含む画像データ及び該画像データの出所を識別する識別データを取得し、取得した画像データから出所に関連する画像データを抽出し、抽出した出所に関連する画像データと取得した識別データとを照合し、照合した結果に応じて画像を出力することを特徴とする画像処理方法。
【請求項６】
出所に関連する画像データを含む画像データ及び該画像データの出所を識別する識別データを取得するステップと、取得した画像データから出所に関連する画像データを抽出するステップと、抽出した出所に関連する画像データと取得した識別データとを照合するステップと、照合した結果に応じて画像を出力するステップとをコンピュータに実行させるプログラム。
【発明の詳細な説明】
【技術分野】
【０００１】
本発明は、画像を出力する画像処理装置に関するものである。
【背景技術】
【０００２】
機密情報を含む画像を出力する場合に、機密を守るべき範囲外に機密情報が漏洩することを抑止する画像処理システムが知られている。この種の画像処理システムにおいて、ユーザの認証情報と暗号化された画像データとを転送し、転送されたユーザの認証情報を照合した結果に応じて暗号化された画像データを復号化することにより、機密保持が必要なデータが漏洩する危険性を低減することは公知である（特許文献１参照）。
【０００３】
【特許文献１】特開２００３−５９３９号公報
【発明の開示】
【発明が解決しようとする課題】
【０００４】
しかしながら、上記従来例においては、画像データを送信するユーザが認証されると、送信元である装置又は場所などにより特定される画像データの出所にかかわらず情報が転送されてしまうという問題があった。
【０００５】
そこで、本発明は、画像による情報の出所に基づいて、情報の漏洩を抑止することができる画像処理装置、画像処理方法及びそのプログラムを提供することを目的とする。
【課題を解決するための手段】
【０００６】
上記目的を達成するため、本発明の第１の特徴とするところは、出所に関連する画像データを含む画像データ及び該画像データの出所を識別する識別データを取得するデータ取得手段と、このデータ取得手段が取得した画像データから出所に関連する画像データを抽出する抽出手段と、この抽出手段が抽出した出所に関連する画像データと前記データ取得手段が取得した識別データとを照合する照合手段と、画像データに応じて画像を出力する画像出力手段と、前記照合手段が照合した結果に応じて前記画像出力手段による画像の出力を制御する出力制御手段とを有する画像処理装置にある。即ち、出所に関連する画像データと識別データとを照合されるので、出力制御手段は、データ取得手段が取得した画像データの出所に関連する画像による情報に応じて画像の出力を制御することができ、情報の漏洩を抑止することができる。
【０００７】
好適には、前記抽出手段は、前記データ取得手段が取得した画像データに対し、所定の個数連続する数字列からなる画像に対応する画像データを出所に関連する画像データの候補とする。即ち、出所に関連する画像データが例えばＦＡＸ番号又は電話番号であっても、抽出手段は出所に関連する画像データを抽出することができる。
【０００８】
また、好適には、前記照合手段が照合した結果、前記抽出手段が抽出した出所に関連する画像データと前記データ取得手段が取得した識別データとが合致しない場合、前記出力制御手段は、その旨を示す画像を前記画像出力手段が出力するよう制御する。
【０００９】
また、好適には、前記データ取得手段が取得した識別データから画像データの出所を識別する識別手段をさらに有し、前記データ取得手段が取得した識別データを前記識別手段が識別した結果、画像データの出所が所定の属性の装置である場合、前記出力制御手段は、その旨を示す画像を前記画像出力手段が出力するよう制御する。
【００１０】
また、本発明の第２の特徴とするところは、出所に関連する画像データを含む画像データ及び該画像データの出所を識別する識別データを取得し、取得した画像データから出所に関連する画像データを抽出し、抽出した出所に関連する画像データと取得した識別データとを照合し、照合した結果に応じて画像を出力する画像処理方法にある。
【００１１】
また、本発明の第３の特徴とするところは、出所に関連する画像データを含む画像データ及び該画像データの出所を識別する識別データを取得するステップと、取得した画像データから出所に関連する画像データを抽出するステップと、抽出した出所に関連する画像データと取得した識別データとを照合するステップと、照合した結果に応じて画像を出力するステップとをコンピュータに実行させるプログラムにある。
【発明の効果】
【００１２】
本発明によれば、画像による情報の出所に基づいて、情報の漏洩を抑止することができる。
【発明を実施するための最良の形態】
【００１３】
次に、本発明の実施形態を図面に基づいて説明する。
図１は、画像処理システム１の概要を示す構成図である。画像処理システム１は、例えば隔離された空間である事業所５内に配置された画像処理装置１０、サーバ１２、ＰＣ（パーソナルコンピュータ）１４及び電子錠１６と、事業所５外に配置され、通信回線網（ネットワーク）６を介して画像処理装置１０に接続される画像処理装置１８とを有する。
【００１４】
画像処理装置１０は、例えばファクシミリ（ＦＡＸ）、プリンタ及び複写機等の機能を有する複合機（ＭＦＰ）である。画像処理装置１０は、ＰＣ１４などからの印刷指示に応じて用紙などの記録媒体３に画像を印刷すると共に、例えばＰＣ１４などから入力された画像（画像データ）、及び送信元番号（送信元ＦＡＸ番号）通知信号をＦＡＸ機能により通信回線網６を介して画像処理装置１８に対し送信する。
【００１５】
サーバ１２は、図示しないＣＰＵ及びメモリなどを有し、画像処理装置１０及び電子錠１６に対する処理を行う。電子錠１６は、事業所５の出入り口５０に設けられた扉５００に対して、サーバ１２の処理に応じて施錠及び開錠を行うようにされている。電子錠１６は、ユーザが事業所５に対して入退室しようとする場合、例えば図示しない無線のＩＤカード読取り装置を用いたユーザの認証が成功することにより開錠するようにされている。また、電子錠１６は、ユーザが事業所５に対して入退室した後には施錠するようにされている。
【００１６】
画像処理装置１８は、例えば画像処理装置１０と同様にファクシミリ（ＦＡＸ）、プリンタ及び複写機等の機能を有する複合機（ＭＦＰ）であり、画像処理装置１０から送信された画像などを通信回線網６を介して受信する。
通信回線網６は、例えばＦＡＸ信号を伝送するネットワークであり、ＦＡＸ信号として画像データと共に送信元番号通知信号（データ）を伝送することができるようにされている。ただし、通信回線網６は、ＦＡＸ信号として画像データを送信する場合、送信元番号通知信号を送信元から送信先に伝送しないようにすることもできるようにされている。なお、ＦＡＸ信号として画像データと共に伝送される送信元番号通知信号は、送信元に固有の信号であり、例えば画像処理装置１０は、画像処理装置１０に固有の送信元番号通知信号を画像データと共に画像処理装置１８に対して送信する。
【００１７】
次に、画像処理装置１０，１８の詳細について説明する。
図２は、画像処理装置１０，１８の構成を示す構成図である。画像処理装置１０は、表示装置及びキーボードなどを含むユーザインタフェース装置（ＵＩ装置）１００、スキャナなどの画像読取り装置１０２、ＨＤＤ・ＣＤ装置などの記憶装置１０４、印刷装置１０６、ＦＡＸモデム及びＬＡＮポートなど複数のネットワークインターフェイスを具備する通信装置１０８並びに制御装置２などから構成される。制御装置２は、ＣＰＵ２０及びメモリ２２などを含み、画像処理装置１０を構成する各部を制御する。記憶装置１０４には、画像処理装置１０がＦＡＸとして動作する場合のＦＡＸ番号（送信元）データが記憶されている。このように、画像処理装置１０は、コンピュータとしての機能を有し、記憶媒体１１０又は通信装置１０８を介して供給されるソフトウェアに応じて動作し、例えばＦＡＸとしてユーザに使用される。
【００１８】
図３は、画像処理装置１０が画像処理装置１８に対して送信する送信画像４の画像例である。
図３に示すように、送信画像４には、所定の個数連続する数字列からなる（ハイフン等のＦＡＸ番号を表すのに使用されうる記号を含むものであってもよい）ＦＡＸ番号画像（送信元）４０が送信画像４の一部として含まれている。
【００１９】
画像処理装置１８は、例えば図２に示した画像処理装置１０と略同様のハードウェア構成（図２）にされている。つまり、画像処理装置１８は、コンピュータとしての機能を有し、記憶媒体１１０又は通信装置１０８を介して供給されるソフトウェアに応じて動作し、例えばＦＡＸとしてユーザに使用される。
【００２０】
図４は、画像処理装置１８がＦＡＸとして動作する場合に、制御装置２により実行される画像処理ソフトウェア２００の構成を示すプログラム構成図である。
図４に示すように、画像処理ソフトウェア２００は、受信画像形成部２０２、認識・抽出部２０４、照合部２０６、消去部２０７及び出力画像設定部２０８を有する。受信画像形成部２０２は、通信装置１０８から送信された画像データを取得して、送信画像４を受信画像として形成し、送信画像４を認識・抽出部２０４に対して出力する。認識・抽出部２０４は、例えば送信画像４に含まれる所定の個数連続する数字列を認識することによりＦＡＸ番号画像４０を抽出し、ＦＡＸ番号画像４０が示すＦＡＸ番号と送信画像４とを照合部２０６に対して出力する。
【００２１】
照合部２０６は、通信装置１０８を介して送信元番号通知信号（識別データ）を受け入れ、認識・抽出部２０４からＦＡＸ番号画像４０が示すＦＡＸ番号と送信画像４とを受入れる。また、照合部２０６は、受入れた送信元番号通知信号が示す送信元番号とＦＡＸ番号とを照合し、ＦＡＸ番号と送信元番号とが一致しない場合には送信画像４を消去部２０７に対して出力し、ＦＡＸ番号と送信元番号とが一致する場合には送信画像４を出力画像設定部２０８に対して出力する。消去部２０７は、照合部２０６から入力された送信画像４を消去する。出力画像設定部２０８は、ＣＰＵ２０の制御により、照合部２０６から入力された送信画像４又は後述するその他の画像を出力画像として設定し、設定した出力画像をＵＩ装置１００の表示装置、記憶装置１０４又印刷装置１０６に対して出力する。
【００２２】
次に、画像処理装置１８がＦＡＸ機能により送信画像４を受信して出力する処理について説明する。
図５は、画像処理装置１８がＦＡＸ機能により送信画像４を受信して出力する処理の第一例（Ｓ１０）を示すフローチャートである。
図５に示すように、ステップ１００（Ｓ１００）において、画像処理装置１８は、通信装置１０８を介して送信画像４に対応する画像データ、及び送信元番号通知信号を受信する。
【００２３】
ステップ１０２（Ｓ１０２）において、受信画像形成部２０２は、通信装置１０８から送信された画像データを取得して、送信画像４を受信画像として形成し、送信画像４を認識・抽出部２０４に対して出力する。
【００２４】
ステップ１０４（Ｓ１０４）において、認識・抽出部２０４は、例えば送信画像４に含まれる所定の個数連続する数字列を認識することによりＦＡＸ番号画像４０を抽出し、ＦＡＸ番号画像４０が示すＦＡＸ番号と送信画像４とを照合部２０６に対して出力する。
【００２５】
ステップ１０６（Ｓ１０６）において、照合部２０６は、通信装置１０８を介して受入れた送信元番号通知信号が示す送信元番号と、認識・抽出部２０４から受入れたＦＡＸ番号とを照合し、ＦＡＸ番号と送信元番号とが一致するか否かについて判定し、ＦＡＸ番号と送信元番号とが一致する場合にはＳ１０８の処理に進み、ＦＡＸ番号と送信元番号とが一致しない場合にはＳ１１０の処理に進む。
【００２６】
ステップ１０８（Ｓ１０８）において、制御装置２は、印刷装置１０６などを介して送信画像４を出力する。
【００２７】
ステップ１１０（Ｓ１１０）において、消去部２０７は、送信画像４に対応する画像データを消去する。
【００２８】
図６において、画像処理装置１８がＦＡＸ機能により送信画像４を受信して出力する処理の第二例（Ｓ２０）が示されている。
図６に示すように、ステップ２００（Ｓ２００）において、画像処理装置１８は、通信回線網６を介して送信されたデータを通信装置１０８により受信する。
【００２９】
ステップ２０２（Ｓ２０２）において、制御装置２は、Ｓ２００の処理において受信したデータに送信画像４に対応する画像データと送信元番号通知信号とが有るか否かを判断し、送信元番号通知信号が無い場合にはＳ２０４の処理に進み、送信元番号通知信号がある場合にはＳ２０６の処理に進む。
【００３０】
ステップ２０４（Ｓ２０４）において、制御装置２は、印刷装置１０６を介して送信元番号が不明である旨を記録媒体３に印刷する。
【００３１】
ステップ２０６（Ｓ２０６）において、制御装置２は、送信元番号通知信号が示す送信元番号と、抽出したＦＡＸ番号画像４０が示すＦＡＸ番号とを照合し、照合結果が適正であるか否かを判断し、例えば送信元番号とＦＡＸ番号とが一致する場合のように、照合結果が適正である場合にはＳ２０８の処理に進み、照合結果が適正でない場合にはＳ２１０の処理に進む。
【００３２】
ステップ２０８（Ｓ２０８）において、制御装置２は、例えば印刷装置１０６を介して記録媒体３に送信画像４を印刷する。
【００３３】
ステップ２１０（Ｓ２１０）において、制御装置２は、印刷装置１０６を介して照合結果が不適正である旨を示す画像を記録媒体３に印刷する。例えば、送信元番号とＦＡＸ番号とが一致しない場合には、制御装置２は、印刷装置１０６を介して送信元番号とＦＡＸ番号とが一致しない旨を示す画像を記録媒体３に印刷する。また、送信元番号が例えば公衆電話（公衆ＦＡＸ）を示すものである場合には、制御装置２は、印刷装置１０６を介して送信元番号が公衆電話（公衆ＦＡＸ）である旨を示す画像を記録媒体３に印刷する。
【図面の簡単な説明】
【００３４】
【図１】画像処理システムの概要を示す構成図である。
【図２】画像処理装置の構成を示す構成図である。
【図３】画像処理装置が画像処理装置に対して送信する送信画像の画像例である。
【図４】画像処理装置がＦＡＸとして動作する場合に、制御装置により実行される画像処理ソフトウェアの構成を示すプログラム構成図である。
【図５】画像処理装置がＦＡＸ機能により送信画像を受信して出力する処理の第一例（Ｓ１０）を示すフローチャートである。
【図６】画像処理装置がＦＡＸ機能により送信画像を受信して出力する処理の第二例（Ｓ２０）を示すフローチャートである。
【符号の説明】
【００３５】
１・・・画像処理システム
１０，１８・・・画像処理装置
１００・・・ＵＩ装置
１０２・・・画像読取り装置
１０４・・・記憶装置
１０６・・・印刷装置
１０８・・・通信装置
２・・・制御装置
２００・・・画像処理ソフトウェア
２０２・・・受信画像形成部
２０４・・・認識・抽出部
２０６・・・照合部
２０７・・・消去部
２０８・・・出力画像設定部
３・・・記録媒体
４・・・送信画像
４０・・・ＦＡＸ番号画像
５・・・事業所
６・・・通信回線網
【図１】
2006261752.tif 000003
【図２】
2006261752.tif 000004
【図３】
2006261752.tif 000005
【図４】
2006261752.tif 000006
【図５】
2006261752.tif 000007
【図６】
2006261752.tif 000008